(57)【要約】      （修正有）【課題】センサ部を搭載したアクティブ型のＩＣタグにおいて、電池の消費の抑制をはかり、且つ小型化にも対応する非接触型データキャリア装置及び該非接触型データキャリア装置を用いたセンサシステムを提供する。【解決手段】センサ部と、該センサ部により得られたデータを保存するメモリ部と、該メモリ部の情報を送信するための送信部と、上記各部を関連づけて制御する制御部とを備え、該制御部に制御されてセンサ部により得られたデータの送信を行うものであり、所定の制御用信号の入力スイッチとなる非接触式スイッチと、該非接触式スイッチを介して制御用信号を受信し、前記制御部にその起動の指示のための起動指示信号や所定の処理動作指示のための制御用信号を送る制御用信号受信部とを備えており、前記制御部は制御用信号受信部から送られた起動指示信号を受け取り起動し、制御用信号の内容に対応する所定の処理動作を行う。【選択図】図１
2007265082.tif 000002
【特許請求の範囲】
【請求項１】
センサ部を搭載したアクティブ型の非接触型データキャリア装置であって、前記センサ部と、該センサ部により得られたデータを保存するメモリ部と、該メモリ部の情報を送信するための送信部と、上記各部を関連つけて制御する制御部とを備え、該制御部に制御されて、センサ部により得られたデータの送信を行うものであり、所定の制御用信号の入力スイッチとなる非接触式スイッチと、該非接触式スイッチを介して制御用信号を受信し、前記制御部に、その起動の指示のための起動指示信号や所定の処理動作指示のための制御用信号を送る制御用信号受信部とを備えており、前記制御部は、制御用信号受信部から送られた起動指示信号を受け取り起動し、制御用信号の内容に対応する所定の処理動作を行うものであることを特徴とする非接触式スイッチ付き非接触型データキャリア装置。
【請求項２】
請求項１記載の非接触式スイッチ付き非接触型データキャリア装置であって、前記所定の処理動作が、メモリ内のＩＤや測定データ等のデータの送信要求の処理動作、あるいは、各種の設定要求の処理動作の、１以上を含むものであることを特徴とする非接触式スイッチ付き非接触型データキャリア装置。
【請求項３】
請求項１ないし２のいずれか１項に記載の非接触式スイッチ付き非接触型データキャリア装置であって、前記制御用信号受信のための、前記非接触式スイッチと制御用信号受信部は、前記制御部に制御されて、センサ部により得られたデータの送信を行うための各部から、回路的に独立していることを特徴とする非接触式スイッチ付き非接触型データキャリア装置。
【請求項４】
請求項３に記載の非接触式スイッチ付き非接触型データキャリア装置であって、前記非接触式スイッチは、共振回路を動作させてスイッチ動作を行わせるもので、該共振回路の共振周波数は、前記制御部に制御されて、センサ部により得られたデータの送信等のデータ通信を行う際の周波数と、異なっていることを特徴とする非接触式スイッチ付き非接触型データキャリア装置。
【請求項５】
請求項４に記載の非接触式スイッチ付き非接触型データキャリア装置であって、前記非接触式スイッチは、共振タグであることを特徴とする非接触式スイッチ付き非接触型データキャリア装置。
【請求項６】
請求項３に記載の非接触式スイッチ付き非接触型データキャリア装置であって、前記非接触式スイッチは、磁気回路を動作させてスイッチ動作を行わせるものであることを特徴とする非接触式スイッチ付き非接触型データキャリア装置。
【請求項７】
請求項３に記載の非接触式スイッチ付き非接触型データキャリア装置であって、前記非接触式スイッチは、超音波を使用してスイッチ動作を行わせるものであることを特徴とする非接触式スイッチ付き非接触型データキャリア装置。
【請求項８】
請求項３に記載の非接触式スイッチ付き非接触型データキャリア装置であって、前記非接触式スイッチは、光を使用してスイッチ動作を行わせるものであることを特徴とする非接触式スイッチ付き非接触型データキャリア装置。
【請求項９】
請求項３に記載の非接触式スイッチ付き非接触型データキャリア装置であって、前記非接触式スイッチは、赤外線を使用してスイッチ動作を行わせるものであることを特徴とする非接触式スイッチ付き非接触型データキャリア装置。
【請求項１０】
請求項１ないし９のいずれか１項に記載の非接触式スイッチ付き非接触型データキャリア装置であって、前記センサ部が、湿度、照度、加速度などの各種状態を検知する検知センサであることを特徴とする非接触式スイッチ付き非接触型データキャリア装置。
【請求項１１】
アクティブ型の非接触型データキャリア装置を用いたセンサシステムであって、センサ部と、該センサ部により得られたデータを保存するメモリ部と、該メモリ部の情報を送信するための送信部と、上記各部を関連つけて制御する制御部とを備え、該制御部に制御されて、センサ部により得られたデータの送信を行うもので、所定の制御用信号の入力スイッチとなる非接触式スイッチと、該非接触式スイッチを介して制御用信号を受信し、前記制御部に、その起動の指示のための起動指示信号や所定の処理動作指示のための制御用信号を送る制御用信号受信部とを備え、前記制御部は、制御用信号受信部から送られた起動指示信号を受け取り起動し、制御用信号の内容に対応する所定の処理動作を行うものである、非接触式スイッチ付き非接触型データキャリア装置と、前記非接触式スイッチ付き非接触型データキャリア装置からデータを受信するデータ受信部と、前記非接触式スイッチ付き非接触型データキャリア装置に制御用信号を送信する制御用信号送信部とを有することを特徴とする非接触型データキャリア装置を用いたセンサシステム。
【請求項１２】
請求項１１記載の非接触型データキャリア装置を用いたセンサシステムであって、前記データ受信部と前記制御用信号送信部と、これらを関連付けて制御する制御部とを一体として備えていることを特徴とする非接触型データキャリア装置を用いたセンサシステム。
【発明の詳細な説明】
【技術分野】
【０００１】
本発明は、センサ部を搭載したアクティブ型の非接触型データキャリア装置に関し、特に、所定の制御用信号入力（トリガー信号入力とも言う）を検知する非接触式スイッチと、該非接触式スイッチにて検知された制御用信号入力を受信し、前記制御部に制御用信号を送る制御用信号受信部とを、制御用信号受信のためのインターフェース部として、備えた非接触式スイッチ付き非接触型データキャリア装置に関する。
更に詳しくは、ＩＣタグ、ＲＦＩＤ、ＩＣタグシステム、ＲＦＩＤシステム、センサネットワーク等に関する。
【背景技術】
【０００２】
情報の機密性の面からＩＣカードが次第に普及されつつ中、近年では、読み書き装置（リーダライタ）と接触せずに情報の授受を行う非接触型のＩＣカードが提案され、中でも、外部の読み書き装置との信号交換を、あるいは信号交換と電力供給とを電磁波により行う方式のものが実用化されつつある。
そして、このような中、データを搭載したＩＣチップを、アンテナコイルと接続した、シート状ないし札状の非接触式のＩＣタグが、近年、種々提案され、商品や包装箱等に付け、万引き防止、物流システム、商品管理等に利用されるようになってきた。
勿論、ＩＣを持たない単なる共振タグも物品の存在感知に用いられている。
【０００３】
近年では、センサにより測定を行う小型軽量な測定部として、センサ付きのＩＣタグ、特に、小型のセンサ付きのＩＣタグも用いられるようになってきた。
センサによる測定データを蓄積するメモリを搭載せずに、センサによる測定データを送信する送信動作のみを行う第１のセンサ付きＩＣタグの場合、サンサによる測定データを蓄積するメモリを搭載し、センサによる測定データを送信する送信動作のみを行う第２のセンサ付きＩＣタグの場合、いずれも、受信機が通信距離内にあれば、リアルタイムにホスト側にデータを送信できるが、受信機が通信距離内にないとセンサの測定データの閲覧ができない。
送信のみであるため、データの再送要求やメモリ内クリア要求等を受信することが不可能である。
センサによる測定データを蓄積するメモリを搭載し、送受信ＩＣを備えた第３のセンサ付ＩＣタグの場合、受信機が通信距離内になくても測定データを保存可能で、あとでデータの閲覧が可能であるが、電池を搭載してこれを電源としてデータの通信のための回路の動作を行う、アクティブ型の場合、受信待機状態の電流が大きいため、電池の消費が非常に早いという問題がある。
センサによる測定データを蓄積するメモリを搭載し、接触式スイッチを使用し、そのスイッチ動作によりデータの通信を行う第４のセンサ付ＩＣタグの場合、受信機が通信距離内になくても測定データを保存可能で、あとでデータの閲覧が可能で、アクティブ型であっても受信時の電池の消費を低く抑えることができるが、接触式スイッチを用いているため、ハウジングすることができなかったり、使用する環境が限られていた。
また、この場合は、ＩＣタグの設定やＩＣタグへの要求は、物理的に該接触式スイッチの回路を遮断するなどしないと、簡単に、行うことができない。
【０００４】
尚、特開２０００−２２７９４８号公報（特許文献１）には、ＩＣタグ内に電源からの電力の供給を切り換える切換回路を備えたものも知られているが、ここに記載の切換回路は、設定時間ごとに切り換えているだけのものである。
【特許文献１】特開２０００−２２７９４８号公報
【発明の開示】
【発明が解決しようとする課題】
【０００５】
最近では、センサ部を搭載したアクティブ型のＩＣタグ、特に、小型のセンサ部を搭載したアクティブ型の小型ＩＣタグが用いられるようになってきたが、小型のセンサ部を搭載したアクティブ型のＩＣタグにおいては、消費電流を抑制するためにはメモリを搭載しない場合、リアルタイムでデータを送信することしかできない問題がある。
また、メモリを搭載し、送受信用のＩＣチップを用いた場合においても、常時受信待機するタイプの場合、ＩＣタグが待機電流を消費してしまい、電池の消費が大きくなるという問題がある。
このタイプの場合、接触式スイッチを用いて電池の消費の抑制をはかることはできるが、ハウジングすることができなかったり、ＩＣタグの設定やＩＣタグへの要求は、物理的に該接触式スイッチの回路を遮断するなどしないと、簡単に、行うことができないという問題があった。
本発明はこれらに対応するもので、センサ部を搭載したアクティブ型のＩＣタグにおいて、送信用のＩＣチップ（制御部のこと）を用いた場合において、電池の消費の抑制をはかることができ、且つ、小型化にも対応してハウジングすることができる非接触型データキャリア装置を提供しようとするものである。
具体的には、所定の制御用信号の入力スイッチとなる非接触式スイッチと、該非接触式スイッチを介して制御用信号入力を受信し、前記制御部に、その起動の指示のための起動指示信号や所定の処理動作指示のための制御用信号を送る制御用信号受信部とを備えた非接触型データキャリア装置を提供しようとするものである。
特に、前記制御用信号受信のための、前記非接触式スイッチと制御用信号受信部とが、制御部に制御されて、センサ部により得られたデータの送信を行うための各部とは、別のものである非接触型データキャリア装置を提供しようとするものである。
同時にそのような非接触型データキャリア装置を用いた、センサシステムを提供しようとするものである。
【課題を解決するための手段】
【０００６】
本発明の非接触式スイッチ付き非接触型データキャリア装置は、センサ部を搭載したアクティブ型の非接触型データキャリア装置であって、前記センサ部と、該センサ部により得られたデータを保存するメモリ部と、該メモリ部の情報を送信するための送信部と、上記各部を関連つけて制御する制御部とを備え、該制御部に制御されて、センサ部により得られたデータの送信を行うものであり、所定の制御用信号の入力スイッチとなる非接触式スイッチと、該非接触式スイッチを介して制御用信号を受信し、前記制御部に、その起動の指示のための起動指示信号や所定の処理動作指示のための制御用信号を送る制御用信号受信部とを備えており、前記制御部は、制御用信号受信部から送られた起動指示信号を受け取り起動し、制御用信号の内容に対応する所定の処理動作を行うものであることを特徴とするものである。
そして、上記の非接触式スイッチ付き非接触型データキャリア装置であって、前記所定の処理動作が、メモリ内のＩＤや測定データ等のデータの送信要求の処理動作、あるいは、各種の設定要求の処理動作の、１以上を含むものであることを特徴とするものである。  また、上記いずれかの非接触式スイッチ付き非接触型データキャリア装置であって、前記制御用信号受信のための、前記非接触式スイッチと制御用信号受信部は、前記制御部に制御されて、センサ部により得られたデータの送信を行うための各部から、回路的に独立していることを特徴とするものであり、前記非接触式スイッチは、共振回路を動作させてスイッチ動作を行わせるもので、該共振回路の共振周波数は、前記制御部に制御されて、センサ部により得られたデータの送信等のデータ通信を行う際の周波数と、異なっていることを特徴とするものであり、更に具体的には、前記非接触式スイッチは、共振タグであることを特徴とするものである。
あるいは、前記非接触式スイッチは、磁気回路を動作させてスイッチ動作を行わせるものであることを特徴とするものである。
あるいはまた、前記非接触式スイッチは、超音波を使用してスイッチ動作を行わせるものであることを特徴とするものである。
あるいはまた、前記非接触式スイッチは、光を使用してスイッチ動作を行わせるものであることを特徴とするものである。
あるいはまた、前記非接触式スイッチは、赤外線を使用してスイッチ動作を行わせるものであることを特徴とするものである。
また、上記いずれかの非接触式スイッチ付き非接触型データキャリア装置であって、前記センサ部が、湿度、照度、加速度などの各種状態を検知する検知センサであることを特徴とするものである。
【０００７】
本発明の非接触型データキャリア装置を用いたセンサシステムは、アクティブ型の非接触型データキャリア装置を用いたセンサシステムであって、アクティブ型の非接触型データキャリア装置を用いたセンサシステムであって、センサ部と、該センサ部により得られたデータを保存するメモリ部と、該メモリ部の情報を送信するための送信部と、上記各部を関連つけて制御する制御部とを備え、該制御部に制御されて、センサ部により得られたデータの送信を行うもので、所定の制御用信号の入力スイッチとなる非接触式スイッチと、該非接触式スイッチを介して制御用信号を受信し、前記制御部に、その起動の指示のための起動指示信号や所定の処理動作指示のための制御用信号を送る制御用信号受信部とを備え、前記制御部は、制御用信号受信部から送られた起動指示信号を受け取り起動し、制御用信号の内容に対応する所定の処理動作を行うものである、非接触式スイッチ付き非接触型データキャリア装置と、前記非接触式スイッチ付き非接触型データキャリア装置からデータを受信するデータ受信部と、前記非接触式スイッチ付き非接触型データキャリア装置に制御用信号を送信する制御用信号送信部とを有することを特徴とするものである。
そして、上記の非接触型データキャリア装置を用いたセンサシステムであって、前記データ受信部と前記制御用信号送信部と、これらを関連付けて制御する制御部とを一体として備えていることを特徴とするものである。
【０００８】
（作用）
本発明の非接触式スイッチ付き非接触型データキャリア装置は、このような構成にすることにより、センサ部を搭載したアクティブ型のＩＣタグにおいて、送信用のＩＣチップ（制御部のこと）を用いた場合において、電池の消費の抑制をはかることはでき、且つ、小型化にも対応してハウジングすることができる非接触型データキャリア装置の提供を可能としている。
具体的には、センサ部と、該センサ部により得られたデータを保存するメモリ部と、該メモリ部の情報を送信するための送信部と、上記各部を関連つけて制御する制御部とを備え、該制御部に制御されて、センサ部により得られたデータの送信を行うものであり、所定の制御用信号の入力スイッチとなる非接触式スイッチと、該非接触式スイッチを介して制御用信号を受信し、前記制御部に、その起動の指示のための起動指示信号や所定の処理動作指示のための制御用信号を送る制御用信号受信部とを備えており、前記制御部は、制御用信号受信部から送られた起動指示信号を受け取り起動し、制御用信号の内容に対応する所定の処理動作を行うものであることにより、これを達成している。
また、前記所定の処理動作が、メモリ内のＩＤや測定データ等のデータの送信要求の処理動作、あるいは、各種の設定要求の処理動作の、１以上を含むものである、請求項３の発明の形態とすることにより、制御用信号の内容に対応する所定の種々の処理動作を行うことを可能にしている。
所定の制御用信号の入力スイッチとなる非接触式スイッチと、該非接触式スイッチを介して制御用信号を受信し、前記制御部に、その起動の指示のための起動指示信号や所定の処理動作指示のための制御用信号を送る制御用信号受信部とを備えており、前記制御部は、制御用信号受信部から送られた起動指示信号を受け取り起動し、制御用信号の内容に対応する所定の処理動作を行うものであり、例えば、制御部への入力（制御用信号受信部の出力でもある）が、所定の立ち上がり電圧で制御部が駆動され、所定入力のパターン、例えば、１０１０の繰り返しで、センサ部のデータを送信部を介して送信する処理動作を行う。  そして、所定の立ち上がり電圧で制御部が駆動され、別の所定入力のパターン、例えば、１０００の繰り返しでセンサ部のデータを記録するメモリの内容を初期状態に設定する。
そしてまた、所定の立ち上がり電圧で制御部が駆動され、更に別の所定入力のパターンで他の設定を行う。
即ち、センサ部のデータの送信のためのＩＣチップ（制御部がこれに相当する）を用いずに、メモリ内のセンサ部の測定データの送信要求や各種設定要求等は、内部にある非接触式スイッチに制御用信号が入力されたときのみ行うため、非接触で、且つ、前記ＩＣチップの待機時の消費電流を格段に抑制することができ、電源を長期間使用することを可能としている。
センサ部の測定データを、常時送信するのではなく、ユーザーの必要時に送信させることが可能となり、膨大なデータ量に対しても消費電流を抑制することが可能となり、電源を長期間使用することを可能としている。
センサ部の測定したデータを受信部にて正確に受信できなかった場合には、制御用信号受信のためのインターフェース部を介して、非接触で再送の要求が可能であり、また正確に受信できた場合には、メモリ内クリア要求にてメモリ内をクリアすることができるため、正確なデータの取得が可能である。
また、タグに対して各種設定を行うことができるため、リユースが可能である。
勿論、各種設定や処理動作の要求は物理的に回路を遮断することなくできるものとしている。
なおまた、非接触式スイッチを用いているため、完全に密封した状態でも使用することができ、使用する環境に依存することがない。
【０００９】
また、前記制御用信号受信のための、前記非接触式スイッチと制御用信号受信部は、前記制御部に制御されて、センサ部により得られたデータの送信を行うための各部とから、回路的に独立しているものである、請求項３の発明の形態とすることにより、センサ部のデータの送信と制御用信号の受信における信号の衝突を回避できるものとしている。
具体的には、前記非接触式スイッチは、共振回路を動作させてスイッチ動作を行わせるもので、該共振回路の共振周波数は、前記制御部に制御されて、センサ部により得られたデータの送信等のデータ通信を行う際の周波数と、異なっている、請求項４の発明の形態や、磁気回路を動作させてスイッチ動作を行わせる請求項６の発明の形態や、超音波を使用してスイッチ動作を行わせる請求項７の発明の形態や、光を使用してスイッチ動作を行わせる請求項８の発明の形態や、赤外線を使用してスイッチ動作を行わせる請求項９の発明の形態が挙げられる。
請求項４の発明の形態としては、具体的には、前記非接触式スイッチは、共振タグである請求項５の形態が挙げられる。
この場合は、比較的簡単に非接触式スイッチを形成可能である。
特に、前記センサ部が、湿度、照度、加速度などの各種状態を検知する検知センサである、請求項１０の発明の形態の場合、汎用的に広く用いることができ、有効である。
【００１０】
本発明の非接触型データキャリア装置を用いたセンサシステムは、このような構成にすることにより、現実的に、上記本発明の非接触式スイッチ付き非接触型データキャリア装置を物品に添付して利用できるものとしている。
【発明の効果】
【００１１】
本発明は、上記のように、センサ部を搭載したアクティブ型のＩＣタグにおいて、送信用のＩＣチップ（制御部のこと）を用いた場合において、電池の消費の抑制をはかることはでき、且つ、小型化にも対応してハウジングすることができる非接触型データキャリア装置の提供を可能とした。
同時に、そのような非接触式スイッチ付き非接触型データキャリア装置を物品に添付して利用できるセンサシステムの提供を可能にした。
【発明を実施するための最良の形態】
【００１２】
本発明の実施の形態を図に基づいて説明する。
図１（ａ）は本発明の非接触式スイッチ付き非接触型データキャリア装置の実施の形態の１例とそれを用いたセンサシステムを示した概略構成図で、図１（ｂ）は制御部への起動信号の１例を示した図で、図１（ｃ）は制御用信号の１例を示した図で、図２は受信部と制御用信号送信部とを１体とした受信機を用いたセンサシステムを示した概略構成図で、図３は本発明の非接触式スイッチ付き非接触型データキャリア装置の利用と処理動作とを関連付けて順に示したフロー図である。
尚、図３中、Ｓ１〜Ｓ８は動作ステップを示している。
図１〜図３において、１０は非接触式スイッチ付き非接触型データキャリア装置、１１は制御部、１２は送信部、１３はセンサ部、１４はメモリ部、１５は電源部、１６は制御信号受信部、１７は非接触式スイッチ、２０、２０Ａは受信機、２１、２１Ａは受信部、２２、２２Ａは制御部、２３Ａは制御信号送信部、３０、３０Ａは制御信号送信機、３１、３１Ａは制御信号送信部である。
【００１３】
はじめに、本発明の非接触式スイッチ付き非接触型データキャリア装置の実施の形態の１例を図１に基づいて説明する。
本例の非接触式スイッチ付き非接触型データキャリア装置１０は、図１（ａ）に示すように、センサ部１３と、該センサ部１３により得られたデータを保存するメモリ部１４と、該メモリ部の情報を送信するための送信部１５と、上記各部を関連つけて制御する制御部１１とを備え、該制御部１４に制御されて、センサ部により得られたデータの送信を行う、アクティブ型の非接触型データキャリア装置である。
ここでは、電源部１５は、センサ部１３の動作用の電源およびメモリ部のデータの送信を行うデータ通信のための電源として用いられる。
本例の非接触式スイッチ付き非接触型データキャリア装置１０は、特に、制御部１１に制御されて、センサ部１３により得られたデータの送信を行うための送信部とは別に、所定の制御用信号受信のための、非接触式スイッチ１７と制御用信号受信部１６を備えており、制御用信号受信のための、非接触式スイッチ１７と制御用信号受信部１６は、制御部１１に制御されて、センサ部１３により得られたデータの送信を行うための各部から、回路的に独立している。
本例では、非接触式スイッチ１７として、共振タグを用いており、その共振回路の共振周波数を、制御部１１に制御されて、センサ部１３により得られたデータの送信等のデータ通信を行う際の周波数と、異ならせている。
これにより、センサ部のデータの送信と制御用信号の受信における信号の衝突を回避できる。
例えば、データの送信等のデータ通信の周波数を３１５ＭＨｚとし、共振タグの共振周波数を１３．５６ＭＨｚとする。
尚、ここでは、共振回路を動作させてスイッチ動作を行わせるが、小型で、消費電力が少ない非接触式スイッチ付き非接触型データキャリア装置が実現でき、ハウジングが可能であれば、この方式のものに限定はされない。
非接触式スイッチ１７は所定の制御用信号の入力スイッチとなるものであり、また、制御用信号受信部１７は、非接触式スイッチ１７を介して制御用信号を受信し、制御部１１に、その起動の指示のための起動指示信号や所定の処理動作指示のための制御用信号を送るものである。
制御部１１は、制御用信号受信部１６から送られた起動指示信号を受け取り起動し、制御用信号の内容に対応する所定の処理動作を行うもので、単にプロセッサとも呼ばれ、ＩＣチップからなり、ここでは、制御部１１の管理の下でメモリ部１３のデータの送信を送信部１２を介して行うため、これを、データ通信用のＩＣチップとも言う。
制御部１１は、起動指示信号、制御用信号を受け取らない間は、制御用信号に対応する処理動作は行わない。
送信部１２は、送信回路、アンテナコイル等からなる。
センサ部１３は、ここでは、温度センサであるが、制御部１１の管理の下、所定の間隔あるいは所定の時刻に検知された温度をメモリ部１４に保存する。
メモリ部１４は、不揮発性の読み込み書き込みが可能なもので、ここでは制御部とは別体のＩＣメモリからなる。
【００１４】
本例においては、所定の制御用信号の入力スイッチとなる非接触式スイッチ１７と、非接触式スイッチ１７を介して制御用信号を受信し、制御部１１に、その起動の指示のための起動指示信号や所定の処理動作指示のための制御用信号を送る制御用信号受信部１６とを備えており、且つ、制御部１１は、制御用信号受信部１６から送られた起動指示信号を受け取り起動し、制御用信号の内容に対応する所定の処理動作を行う。
例えば、図１（ｂ）に示すように、制御部１１への入力（制御用信号受信部１６の出力でもある）が、所定の立ち上がり電圧Ｖ１で制御部が起動され、図１（ｃ）に示すような入力パターン（ここでは１０１０の繰り返し）の制御用信号を受け取り、センサ部１３にて得られたメモリ１４のデータを送信部１２を介して送信する処理動作を行う。
制御用入力に対応した所定の処理動作としては、メモリ部１４内のＩＤや測定データ等のデータの送信要求の処理動作、あるいは、各種の設定要求の処理動作が挙げられる。
尚、起動指示信号と制御用信号とを別にしても、一体的にしても良い。
【００１５】
本例の非接触式スイッチ付き非接触型データキャリア装置１０は、物品に添付して、例えば、図１（ａ）にその概略構成を示すセンサシステムで用いられる。
制御用信号送信機３０から制御用信号が非接触式スイッチ付き非接触型データキャリア装置１０に送信されると、非接触式スイッチ１７がスイッチ動作して制御用信号受信部１６へ制御用信号が受信される。
そして、更に、制御用信号受信部１６から、起動信号、制御用信号を制御部１１が受けとり、制御部１１の管理の下、送信部１２を介して、メモリ部１４のデータが送信され、外部の受信機２０の受信部にて、送信されたデータが受信される。
図１（ａ）に示すセンサシステムは、受信機２０と制御用信号送信機３０とを別体としている形態であるが、これらを一体とした受信機を用いても良い。
即ち、場合によっては、図２に示すように、データ受信部２１と制御用信号送信部２３と、これらを関連付けて制御する制御部２２とを一体として備えている受信機２０を備えたセンサシステムとしても良い
【００１６】
次いで、図３に基づいて、本例の非接触式スイッチ付き非接触型データキャリア装置１０の利用と処理動作とを関連付けて説明する。
図３は、物品を搬送する際に、本例の非接触式スイッチ付き非接触型データキャリア装置１０を該物品に添付して、搬送における物品の温度変化を、非接触式スイッチ付き非接触型データキャリア装置１０のセンサ部１３により検知され得た温度値をもとに知り、これをもとに物品の温度変化が所定の許容範囲にあるか否かを知るためのセンサシステムで、前記図１（ａ）に示す制御信号送信機と同様の制御信号送信機３０Ａと図２に示す受信機２０と同様の受信機２０Ａを共に用いたセンサシステムにおけるフロー図である。
先ず、非接触式スイッチ付き非接触型データキャリア装置１０を搬送する物品に添付する。（Ｓ１〜Ｓ２）
次いで、搬送前に制御信号送信機３０Ａが、非接触式スイッチ付き非接触型データキャリア装置１０に対し、メモリ部１３内クリアの処理動作、時間リセットの処理動作の要求の制御用信号を含む信号を送信すると、非接触式スイッチ付き非接触型データキャリア装置１０は、非接触式スイッチ１７のスイッチ動作して制御信号受信部１６が制御用信号を受信する。（Ｓ３）
そして、制御信号受信部１６が、得られた起動信号やこれらの制御用信号を制御部１１に送ると、制御部１１はこれらの制御用信号に対応した処理動作を行う。（Ｓ４）
ここでは、メモリ部１３内クリアの処理動作、時間リセットの処理動作を行う。
この状態で物品は搬送される。（Ｓ５）
目的の場所に搬送されると、そこで、受信機２０Ａにてメモリ１３部内のデータを送信する処理動作を要求する制御用信号を含む信号を、非接触式スイッチ付き非接触型データキャリア装置１０に対して送信されると、非接触式スイッチ付き非接触型データキャリア装置１０は、非接触式スイッチ１７のスイッチ動作して制御信号受信部１６が制御用信号を受信する。（Ｓ６）
そして、制御信号受信部１６が、得られた起動信号や制御用信号を制御部１１に送ると、制御部１１はこれらの制御用信号に対応した処理動作を行う。（Ｓ７）
ここでは、メモリ１３部内のデータを送信する処理動作を行う。
このようにして、受信機２０Ａにより得られたデータにより、搬送途中の温度変化を把握することができる。
更に、このように搬送された物品から非接触式スイッチ付き非接触型データキャリア装置１０をはずして、再利用することができる。（Ｓ８）
【００１７】
尚、上記は１例で、本発明はこれらに限定されるものではない。
図１（ａ）に示す本例の非接触式スイッチ付き非接触型データキャリア装置においては、データの送信等のデータ通信の周波数も１３．５６ＭＨｚに限定されるものではない。  図１（ａ）に示す本例の非接触式スイッチ付き非接触型データキャリア装置１０は、共振回路を動作させてスイッチ動作を行わせているが、これに代え、磁気回路を動作させてスイッチ動作を行わせる形態や、超音波を使用してスイッチ動作を行わせる形態や、光を使用してスイッチ動作を行わせる形態や、赤外線を使用してスイッチ動作を行わせる形態も挙げられる。
また、図１（ａ）に示す本例の非接触式スイッチ付き非接触型データキャリア装置１０に更に他の機能、例えば、データの送信の他にデータの受信を行うための、受信部を設けた形態も挙げられる。
この場合には、図１（ａ）や図２に示すセンサシステムにおいて、受信機２０に更に送信機を配する、あるいは、受信機２０と送信機を一体化した送受信機を配して、非接触式スイッチ付き非接触型データキャリア装置１０とデータの送受信を行うことができる。
【図面の簡単な説明】
【００１８】
【図１】図１（ａ）は本発明の非接触式スイッチ付き非接触型データキャリア装置の実施の形態の１例とそれを用いたセンサシステムを示した概略構成図で、図１（ｂ）は制御部への起動信号の１例を示した図で、図１（ｃ）は制御用信号の１例を示した図である。
【図２】受信部と制御用信号送信部とを１体とした受信機を用いたセンサシステムを示した概略構成図である。
【図３】本発明の非接触式スイッチ付き非接触型データキャリア装置の利用と処理動作とを関連付けて順に示したフロー図である。
【符号の説明】
【００１９】
１０            非接触式スイッチ付き非接触型データキャリア装置
１１            制御部
１２            送信部
１３            センサ部
１４            メモリ部
１５            電源部
１６            制御信号受信部
１７            非接触式スイッチ
２０、２０Ａ    受信機
２１、２１Ａ    受信部
２２、２２Ａ    制御部
２３Ａ          制御信号送信部
３０、３０Ａ    制御信号送信機
３１、３１Ａ    制御信号送信部
【図１】
2007265082.tif 000003
【図２】
2007265082.tif 000004
【図３】
2007265082.tif 000005